Podtech/llm-jp-corpus-v4-ja_patent huggingface dataset:
(57)【要約】【課題】  ポリエステルやポリアミドなどのように吸湿性の高い高分子からなるフィルムを巻き上げたロールの端部が雰囲気中の水分を吸収して膨張することを防止し、フィルムの端部が中央部に比べ長くなるために発生するフリル状の弛みトラブルを改良した高分子フィルムロール梱包体をを提供する。【解決手段】  含水率が０．５重量％以下である紙製の巻芯に巻き上げられた高分子フィルムロールを、放湿性のフィルムで包装してなることを特徴とする高分子フィルムロール梱包体。【選択図】  なし【特許請求の範囲】
【請求項１】
含水率が０．５重量％以下である紙製の巻芯に巻き上げられた高分子フィルムロールを、放湿性のフィルムで包装してなることを特徴とする高分子フィルムロール梱包体。
【発明の詳細な説明】
【技術分野】
【０００１】
本発明は、ポリエステルやポリアミドなどのように吸湿性の高い高分子からなるフィルムを巻き芯に巻き付けてロール形態としたものの梱包体に関するものである。
【背景技術】
【０００２】
ポリエステルやポリアミドなど比較的吸湿性の高い高分子からなるフィルムをロール形態に巻き上げた際、端部が雰囲気中の水分を吸収し膨張するため、水分を吸収していない中央部に比べ長くなるためフリル状に弛むトラブルを生じることがある。このため、アルミニウム箔あるいはアルミニウム蒸着層を有する防湿フィルムをフィルムロールに巻き付けて、湿気の侵入を防ぐ方法が一般に採られているが、近年、フィルムの弛みがないことが強く要求されるようになり、防湿フィルムで包み込まれた内部の空間の水分によるフィルムの弛みレベルをも問題にされるようになってきている
そこで、吸湿剤を防湿フィルムの内側に備え、フィルム内部の水分を除去し弛みを改良する方法が提案されているが、光学用途、電子部材用途のように極端に異物を嫌う用途においては、これら吸湿剤が異物の原因となる可能性があるため、多量の吸湿剤を適用することができず、十分な効果を発揮し得なかった。
【０００３】
フィルムをロール状に形態した後、加工前に乾燥工程を設けてフィルム内部の水分を除去する方法も提案されているが、乾燥工程を要する分、製造コストが高くなるという門外がある。
【先行技術文献】
【特許文献】
【０００４】
【特許文献１】特開昭５３−１０９８０６号公報
【発明の概要】
【発明が解決しようとする課題】
【０００５】
本発明は、上記実情に鑑みなされたものであり、その解決課題は、異物の要因となる吸湿剤を使用せず、また事前のフィルム乾燥を経ることなく、ポリエステルやポリアミドなどのように吸湿性の高い高分子からなるフィルムを巻き上げたロールの端部が雰囲気中の水分を吸収して膨張することを防止し、フィルムの端部が中央部に比べ長くなるために発生するフリル状の弛みトラブルを改良した高分子フィルムロール梱包体を提供することにある。
【課題を解決するための手段】
【０００６】
本発明者は、上記課題に鑑み鋭意検討した結果、特定の構成を採用することによれば、上記課題を容易に解決できることを見いだし、本発明を完成するに至った。
【０００７】
すなわち、本発明の要旨は、含水率が０．５重量％以下である紙製の巻芯に巻き上げられた高分子フィルムロールを、放湿性のフィルムで包装してなることを特徴とする高分子フィルムロール梱包体に存する。
【０００８】
以下、本発明を詳細に説明する。
本発明に使用するフィルムロールの巻き芯には、乾燥された紙製の管を巻芯として使用する。巻芯の含水率は、０．５重量％以下であり、好ましくは０．４重量％以下、さらに好ましくは０．３重量％以下である。巻芯の含水率が０．５重量％を超えると、フィルムに発生するフリル状の弛みを防止することができない。
【０００９】
紙管は、異物の原因ともなりうる毛羽立ちの少ない、防塵処理紙管を使用することが望ましい。
【００１０】
本発明では、紙管が一種の吸湿剤として機能するため、想定される防湿フィルム内部の空気量に対して、紙管の含水容量について留意する必要があるが、紙管の密度等によっても代わるため適宜選択する。なお、巻き芯の内径と巻き芯の長さは必ずしも自由に選択できないため、紙管体積を増やして含水容量を増す必要がある時には、紙管の肉厚を増やすことで必要な含水容量を確保することが推奨される。
【００１１】
紙管の乾燥方法は、特に限定されないが、例えば、乾燥熱風で熱処理する方法やクーラーや吸湿剤等で乾燥雰囲気に制御された保管スペースで数日〜数ヶ月保管する方法など、が挙げられる。
【００１２】
本発明でいう、防湿性のフィルムとは、アルミニウム箔をラミネートしたものや、アルミニウム蒸着が施されたポリエチレンフィルムなど、透湿の極めて少ないフィルムを指す。
【発明の効果】
【００１３】
本発明によれば、異物の要因となる吸湿剤を使用することなく、また事前のフィルム乾燥を経なくても、フィルム中の水分に起因するフィルムのフリルを回避することができ、本発明の工業的価値は高い。
【発明を実施するための形態】
【００１４】
以下、本発明を実施例により詳細に説明するが、本発明は、以下の例に限定されるものではない。なお、本発明のおける測定方法・評価方法は、以下に示すとおりである。
【００１５】
（１）紙管の含水率
株式会社ケツト製紙水分科学研究所計（ＰＭ−８０）を用いて、紙管の含水量を測定する。
【００１６】
（２）端部弛み個数
梱包後のフィルムロール梱包体を、２３℃５０ＲＨ％の環境下で３０日間保管後、最表層フィルムを３ｍ巻き出して採取し、平坦な台上に広げて端部に発生したフリル状の凹凸の個数を数える。
【００１７】
（３）フィルムの含水率
フィルムの含水率測定は、カールフィッシャー水分計を用いて、フィルムを１５ｍｍ幅のサイズに切り出し、重量が約１ｇになるように必要な長さだけ切り取る。切り取ったサンプルを小さく丸めてクリップで止め、測定を行う。
【００１８】
実施例１：
紙管Ｇコア（肉厚１５ｍｍ、内径６インチ、長さ１２００ｍ、含水分率７．８±１．５％）を、熱風オーブンも用いて、窒素気流下、１１０℃で１時間の乾燥を行い、窒素雰囲気のまま室温まで冷却した後、含水率０．３重量％の巻き芯を得た。この紙管に、厚さ１８８μｍの二軸延伸ポリエステルフィルムであるダイアホイルＴ１００−１８８（三菱樹脂社製  サイズ  １０６０ｍｍ×１２００ｍ）を、巻き上げてフィルムロールとした。なお、巻き上げ条件は、張力５２０Ｎ、速度１５０ｍ／分とした。巻き上げ後、村角社製防湿フィルムアルミラミ紙（ＯＰＰ／アルミニウムラミネートフィルム）で包み、さらにポリエチレンフィルムで包んで梱包した。
【００１９】
比較例１：
紙管を乾燥しないほかは実施例１と同様にして製品を得た。
【００２０】
比較例２：
ポリエチレンフィルムを使用しないこと以外は、実施例１と同様にして製品を得た。
【００２１】
以上、得られた結果をまとめて下記表１に示す。
【００２２】
【表１】
2010163189.tif 000002
【産業上の利用可能性】
【００２３】
本発明は、例えば、ポリエステルフィルムややポリアミドなどのように吸湿性の高い高分子からなるフィルムの梱包として好適に利用することができる。
(57)【要約】【課題】保温機能を持ったビール袴又は、銚子袴等は、存在していなかった。蓄冷材又は蓄熱材を、低熱伝導率材で作ったビール袴又は、銚子袴等の内部に充填して製作し（但し、接触面下部のみ高熱伝導率材にする）、用途に応じ、予冷又は予熱後、ビール袴又は銚子袴として用い、少しでも長く温度を一定に保ちおいしく飲めるようにするものである。又、多くの一般家庭又は、旅館、ホテル、飲食店等に利用してもらえる。【解決手段】図１に示すものを製作する。【選択図】図１
2010163183.tif 000002
【特許請求の範囲】
【請求項１】
蓄冷材又は蓄熱材を、低熱伝導率材で作ったビール袴又は、銚子袴等の内部に充填して作った飲料物用袴。
【発明の詳細な説明】
【技術分野】
【０００１】
本発明は、蓄冷材又は蓄熱材を、低熱伝導率材で作ったビール袴又は、銚子袴等の内部に充填して製作し（但し、接触面下部のみ高熱伝導率材にする）、用途に応じ、予冷又は予熱後、ビール袴又は銚子袴として用い、少しでも長く温度を一定に保ちおいしく飲めるようにするものである。
【背景技術】
【０００２】
従来、保温機能を持ったビール袴又は、銚子袴等は、存在していなかった。
【先行技術文献】
【特許文献】
【０００３】
【特許文献１】なし
【非特許文献】
【０００４】
【非特許文献１】なし
【発明の概要】
【発明が解決しようとする課題】
【０００５】
解決しようとする問題点は、従来のビール袴又は銚子袴等は、テーブル等を汚さないことが目的であり、保温機能が無かったため、温くなったり冷めてしまう物だった、そこで本発明により、少しでも長く飲料物の温度を一定に保ち、おいしく飲めるようにするものである。
【課題を解決するための手段】
【０００６】
本発明は、ビール袴又は、銚子袴等の内部に蓄冷材又は蓄熱材を充填して製作することである。（但し、接触面下部のみ高熱伝導率材にする）
【発明の効果】
【０００７】
ビール又は銚子等に入った飲料物を、少しでも長く温度を一定に保ち、おいしく飲めるようにするものである。
【図面の簡単な説明】
【０００８】
【図１】図１はビール袴又は銚子袴等を説明した図面である。
【発明を実施するための形態】
【０００９】
袴下部（φＢ）を上部開口（φＡ）より小さくし重ねて収納できる形態とした。
【実施例１】
【００１０】
図１は、イメージであり試作した物はありません。
【産業上の利用可能性】
【００１１】
多くの一般家庭又は、旅館、ホテル、飲食店等に利用してもらえる。
【符号の説明】
【００１２】
１    低熱伝導率材製袴
２    高熱伝導率材製下部接触面
３    蓄冷材又は、蓄熱材
【図１】
2010163183.tif 000003
(57)【要約】      （修正有）【課題】地震、台風時に木造家屋の転倒や崩壊を防止する補強金具を提供する。【解決手段】柱と土台、梁、屋根塔の接合部（交差部）に、柱の四方にＬ字形耐震補強支圧鋼板と多角補強鋼板等を組み合わせた耐震装置を設置する。Ｌ字形耐震補強鋼板は、厚さ５ｍｍ以上×巾８０ｍｍ以上×長さ２００ｍｍ以上の鋼板で、長さ２００ｍｍの中央部をＬ字形に曲げて、内角部の中央に凸部を作成している。Ｌ字形の板それぞれに、ボルト孔を各１孔、ネジ孔貫通孔を各４個ずつあけ、柱、土台、梁、屋根にボルト及びねじ釘で固定することにより家屋を一体化する。【選択図】図−１３
2010163854.tif 000002
【特許請求の範囲】
【請求項１】
このＬ字形支圧板は、厚さ５ｍｍ以上×巾８０ｍｍ以上×長さ２００ｍｍ以上の鋼板にビード加工し、図ー１のように、長さ２００ｍｍの中央から、Ｌ字形に曲げ、（Ａ−１）（Ａ−２）とし、その内角部の中央に、図ー１の（Ｂ）のように、凸部を凸設し、（Ａ−１）（Ａ−２）それぞれに、ボルト貫通孔（２）を各１孔、ネヂ釘貫通孔（３）を各４孔づつ貫設し、加工したＬ字形支圧鋼板を、Ｌ字形耐震補強支圧鋼板〔Ｌ字形耐震補強装置〕（図ー１〜図−１−３）として、開発したものである。
【発明の詳細な説明】
【技術分野】
【０００１】  この発明は、地震、台風、時に、家屋の転倒崩壊を防止するために、柱と土台、梁、屋根等の接合部（交差部）に、柱を中心に四方より、Ｌ字形耐震補強支圧鋼板と多角補強鋼板等組み合わせて抱合させ、ボルト・ネジクギ等で固定させ、各々の柱と、土台、梁、屋根等の一体化を図る事によって、家屋全体の一体化を可能にする、Ｌ字形耐震補強装置である。〔図ー２  〜  図ー１３〕
【背景技術】
【０００２】  在来工法の木造家屋は、地震等に対しての防御対策が殆ど成されてないのが現況である、近年、色々な耐震装置が施工されているが、家屋の一部補強に止まっていると考えます。
今回の発明は、その点を改善し、家屋全体の一体化を目標にした、耐震補強装置である。
〔図ー２  〜  図ー１３〕
【発明の開示】
【発明が解決しようとする課題】
【０００３】  木造家屋は、土台に立つ柱、柱に接合する梁、柱に乗る屋根等、各々の接合部を如何にして固定し、一体化するかが課題である。〔図ー２  〜  図ー１３〕
【課題を解決するための手段】
【０００４】  Ｌ字形補強鋼板、多角補強鋼板、等の組み合わせにより、柱、梁等をボルト・ネヂクギ等で固定する、この手段で家屋全体の接合部位の結合を図り、一体化する事で解決する。
〔図ー２  〜  図ー１３〕
【発明の効果】
【０００５】  木造家屋の各接合部に、Ｌ字形耐震補強鋼板等を装着することで、柱、梁等の接合部からの脱落・破損が改善され、柱、梁等自体の破損が生じない限り、家屋の転倒・崩壊は限りなく、防止できるものと確信します。
【発明を実施するための最良の形態】
【０００６】  本発明は、木造家屋の新築時に、装着するのが本筋であるが、現況では、中古住宅の耐震補強改修工事を最優先に装着すべきでは、と考えます。
【図面の簡単な説明】
【０００７】図−１                Ｌ字形耐震補強支圧鋼板〔斜視図・断面・他〕
図−１−１            Ｌ字形耐震補強支圧鋼板〔斜視図・他〕
図−１−２            Ｌ字形耐震補強支圧鋼板〔断面図〕
図−１−３            Ｌ字形耐震補強支圧鋼板〔正面等〕
図−２  〜  図−  ９  Ｌ字形耐震補強装置装着図〔中間部・斜視図・断面・他〕
図−１０〜  図−１２  Ｌ字形耐震補強装置装着図〔基礎部・斜視図・断面・他〕
図−１３              Ｌ字形耐震補強装置装着図〔家屋斜視図・基礎、二階、屋根等〕
【符号の説明】
【０００８】Ａ        Ｌ字形支圧鋼板        ２        ボルト孔
Ａ−１    Ｌ字形垂直部          ２−１    ボルト
Ａ−２    Ｌ字形水平部          ２−２    ナット
Ｂ        凸設部                ２−３    スブリングワッシャ
Ｃ        多角形鋼板            ３        ネジクギ孔
ビード加工            ３−１    ネジクギ
３−４    中ネジクギ
３−５    大ネジクギ
【図−１】
2010163854.tif 000003
2010163854.tif 000004
2010163854.tif 000005
2010163854.tif 000006
【図−２】
2010163854.tif 000007
【図−３】
2010163854.tif 000008
2010163854.tif 000009
【図−４】
2010163854.tif 000010
【図−５】
2010163854.tif 000011
【図−６】
2010163854.tif 000012
【図−７】
2010163854.tif 000013
【図−８】
2010163854.tif 000014
【図−９】
2010163854.tif 000015
【図−１０】
2010163854.tif 000016
【図−１１】
2010163854.tif 000017
【図−１２】
2010163854.tif 000018
【図−１３】
2010163854.tif 000019
(57)【要約】      （修正有）【課題】鏡に映して指針を読んでいた動作を省く。【解決手段】てこ式ダイヤルゲージの、目盛板と裏側を透明な材質にすることで、裏より指針が見える様にする。この様にすることで、加工物の芯出し等で、反対側も裏から指針がみえるので、正確に手鏡なしで読むことができる。【選択図】図１
2010181283.tif 000002
【特許請求の範囲】
【請求項１】
てこ式ダイヤルゲージの、目盛板と裏側を透明な材質にすることで、裏より指針と目盛が見える様にする。
【発明の詳細な説明】
【先行技術文献】
【非特許文献】
【０００１】
【非特許文献１】なし
【技術分野】
【０００２】
本発明は、てこ式ダイヤルゲージの裏側よりの読み取りを、可能にするものである。
【発明の概要】
【発明が解決しようとする課題】
【０００３】
ダイヤルゲージの、裏側から表の指針と目盛を、直接見えるようにすることで、鏡に映して指針を読んでいた動作を、
省く事ができる。
【課題を解決するための手段】
【０００４】
てこ式ダイヤルゲージの、目盛板と裏側を透明な材質にすることで、裏より指針が見える様にする。
【発明の効果】
【０００５】
加工物の芯出し、穴  ボスの芯出しに、今までは主軸を回転させて、指針の振れを裏側から読むときに、
これまでのてこ式ダイヤルゲージは、手前から指針が見えないので鏡で写して確認していたが、目盛板と裏側を透明な材質にすることで
裏から指針がみえるので、正確に手鏡なしで、読むことができる。
芯出し作業の大幅なスピード化がはかれる。
【図面の簡単な説明】
【０００６】
【図１】ダイヤルゲージの実施方法を示した説明図である。（実施例１）
【図１】
2010181283.tif 000003
(57)【要約】【課題】  本発明は汎用コンピユターのＣＯＢＯＬ言語のコビー区に変更が生じた時等、システム変更のツールに関するコンパイルに手数がかかる。而して、ＣＯＢＯＬ言語のコビー区に自動的にレベル番号を付しコンパイル直前までの、フログラムを提供する。【解決手段】  最初は、直接ＥＸＣＥＬのマクロ命令でホストＣＰＵに変換していたのでそれでは時間がかかる。そこで、パラメータを思い付いた。当初からの全角のコピー区でコンパイルされているオブジェクトプログラムでないと、デバックに時間がかかるというデメリットがあるが、初回のみクリアーすれば後は簡単にである。銀行の汎用コンピユターのＣＯＢＯＬ言語での変更があれば、数十分の一の費用で済みます。パラメータの使用（ファイル名：フォームパラメータ）はＳｈｅｅｔ１に、インストールはＲＥＡＭＥに書いてあります。バラメータを作成するのにサポートが必要であれば、サポートします。【選択図】  図１
2010181994.tif 000002
【特許請求の範囲】
【請求項１】
表計算ソフトＥＸＣＥＬでＣＯＢＯＬのコピー区を規定フォーマットに従った［レコードＩＤ・レコード名・項番・相対位置（ＢＩＴは除く）・項目名・属性］表を作成したものにＥＸＣＥＬにパラメータを与えることにより、マクロ命令（マクロボタン）で自動的にホストＣＰＵにＣＯＢＯＬ言語のコピー区を日本語で分かる（ａｎｋファィル）ように変換する。（ファイル名：フォーマット変換Ｖｅｒ1.2）
【請求項２】
ＥＸＣＥＬでパラメータの作成の仕方（ファイル名：フォームパラメータ）
行（1行目Ｂ列から実際のコピー区名を記入、5行目から以下の列を記入）
列（1コピー区Ｂ列からＣ，Ｄ3列で構成）
1列目は、ＣＯＢＯＬのコピー区のレベル番号
2列目は、Cはその行ＰＩＣ無し
Ｐはクリップボードにコピーする
Ｒはクリップボードを貼り付ける
99はその行を無視する
−はその上の行のＲＥＦＥＦＩＮＳ
＝はその上の行のＲＥＦＥＦＩＮＳで1行挿入
ＯはＯＣＣＵＲＳ
3列目は、ＯＣＣＵＲＳの数
【発明の詳細な説明】
【技術分野】
【０００１】
本発明は、ＣＯＢＯＬのコピー区が変更等、システム変更のツール（コンパイル偏）に関するひとつのものである。
【背景技術】
【０００２】
従来の方法だと、ＥＸＣＥＬにてコピー区を手動で表を完成させ、完成したファイルを手動でコピー区に反映させ、コンパイルする方法（他の方法もある）。
【０００３】
しかしながら、従来の方法だと熟練した者がコピー区の表を完成させコパイルするという、手間がかかるという欠点があった。
【先行技術文献】
【特許文献】
【０００４】
【特許文献１】特開２０００−８９９４５号公報
【特許文献２】特開２００６−３１８８号公報
【非特許文献】
【０００５】
【非特許文献１】http://www.fuji.ne.jp/~excelyou/exsearch.htm  Ｅｘｃｅｌ  ファンクラブの（全般）。
【発明の概要】
【発明が解決しようとする課題】
【０００６】
本発明は、以上のような欠点に鑑み（上記欠点の反対の用語を用いて欠点を解消）ＣＯＢＯＬシステム変更（コンパイル偏）のツールを提供する事を目的とする。
【０００７】
ＥＸＣＥＬの表の項目に相対位置が同じものと属性がＢＩＴのものは相対位置が異なる等は、パラメータが必要である。
【課題を解決するための手段】
【０００８】
上記目的を達成するために、本発明は、請求項2の構成要件（パラメータ）とでシステム変更のツールを構成している。
【０００９】
パラメータを自由に作成できるようにした（支援可能）。
【発明の効果】
【００１０】
以上の説明から明らかなように、本発明にあっては、次に列挙する効果が、得られる     （１）請求項2の構成要件（パラメータ）とで作成されているので、ＣＯＢＯＬのコピー区（レベル番号）を自動作成する。
【００１１】
（２）前記（１）により、パラメータ毎のコピー区（ａｎｋファィル）が作成できる。
【図面の簡単な説明】
【００１２】
【図１】本発明を実施するため第１の形態図である。
【図２】本発明のＥｘｃｅｌ「フォーマット変換」Ｖｅｒ1.2図である。
【図３】本発明のＥｘｃｅｌ「コピー区のパラメータ」である。
【図４】本発明のＣＯＢＯＬの元コピー区である。
【図５】本発明のＣＯＢＯＬのレベル番号を付したコピー区である。
【発明を実施するための形態】
【００１３】
本発明は汎用コンピュータのＣＯＢＯＬ言語のコピー区に変更にが生じたら自動的にコンパイル直前までのａｎｋファイルを作成するツールがあればいいと考えて作成した。
【００１４】
以下、本発明の実施の形態を図に基づいて説明する。
【実施例１】
【００１５】
図１を参照
ＥＸＣＥＬ  ＷＩＮＤＯＷＳ（登録商標）（95，98，,Me,Xp）を起動(省略可)メディアは何でも良い(CDROM)の任意のコピー区を読む。
ＥＸＣＥＬで変換する任意のコピー区のパラメータ(フォームパラメータ)を作成。
ＥＸＣＥＬのフォーマット変換Ｖｅｒ1.2を読む。
ＷＯＲＤで確認。
ＦＥＸＰＯＲＴ等のホストＣＰＵ言語で、ホストＣＰＵにとり込む。
【図１】
2010181994.tif 000003
【図３】
2010181994.tif 000004
【図４】
2010181994.tif 000005
【図５】
2010181994.tif 000006
【図２】
2010181994.tif 000007
(57)【要約】      （修正有）【課題】跳ね上げフレームにおいて、ブリッジ部分に回転機能を納めることにより、見た目の突起物をなくし、ポリアセタール樹脂の摺動性と耐磨耗性でスムーズな回転動を可能にした眼鏡枠を提供すること。【解決手段】跳ね上げ機能を持たせるための部品をブリッジ８の内部に納め、ブリッジ内部において前掛フロント３の回転軸４を多角柱にし、樹脂バネ７と樹脂パーツ９で押える。【選択図】図２
2010181659.tif 000002
【特許請求の範囲】
【請求項１】
テンプルに指示された本体フレームと、眼鏡用レンズが装着された前掛フレームをブリッジ部分において、跳ね上げ機構を持たせて連結させたことを特徴とする眼鏡フレーム。
【請求項２】
テンプルに指示された本体フレームと、眼鏡用レンズが装着された前掛フレームをブリッジ部分において、跳ね上げ機構を持たせて連結させたことを特徴とする眼鏡フレームにおいて、連結部分に耐疲労性に優れ、しかも弾性回復性の有るポリアセタール樹脂を板バネとして利用し、前掛フレームを上げた位置に固定させることを特徴とした眼鏡フレーム。
【発明の詳細な説明】
【技術分野】
【０００１】
本発明は、前掛フレームのブリッジ部分に回転機能を納めることにより見た目の突起物をなくし、しかもポリアセタール樹脂の摺動性と耐摩耗性でスムーズな回転動を可能とした跳ね上げ式眼鏡フレームに関するものである。
【背景技術】
【０００２】
従来の跳ね上げ式眼鏡フレームにおいては、回転させるために、さまざまな部品を取り付ける方法しか取れなかった。そのためフレームの外観を損ないデザインも制限されてきた。
【０００３】
また、ブリッジ部分で回転させる跳ね上げ式フレームは、回転軸に樹脂パイプを巻いたりし、軸に対し回転する滑りを止めようといろいろな工夫を凝らして、前掛フレームを固定させる方法をとっていた。
【０００４】
そのため磨耗や劣化により回転軸そのものや回転軸を支える部品に負担がかかり、ある程度回転させると前掛フレームを上に上げた状態で静止しにくくなるという欠点があった。
【特許文献１】特許  第３８５８１７０号
【発明の開示】
【発明が解決しようとする課題】
【０００５】
本発明は、前述の問題を解決するため、バランスのとれた機械的特性を持ち、金属の代替として注目されているポリアセタール樹脂のバネタイプとフラットタイプの２つのパーツで回転軸を常に抑えながら固定する方法を取ることを技術的課題とした。
【課題を解決するための手段】
【０００６】
本発明が上記課題を解決するために採用した手段を、添付図面を参照して説明すれば、次のとおりである。
【０００７】
すなわち本発明は、図１の１本体フレームの連結部分に２のように、樹脂バネ７を挿入するためのガイドを設け、３前掛フレームにおいて回転軸を４と５、または６の形状にしておく。
【０００８】
図２において、コの字型のブリッジ８とその中に収める樹脂バネ７と樹脂パーツ９を作り連結部１０において、前掛フレーム３と本体フレーム１とを１１で示すとおり連結する。尚、コの字形ブリッジ８と樹脂パーツ９を樹脂で一体化することもできる。
【０００９】
連結する際、本体フレーム１の連結部２と回転軸４と５、または６を樹脂バネ７と樹脂パーツ９で挟み込みブリッジ８を前掛フレームの前方から差し込み、樹脂パーツ、回転軸、樹脂バネ、本体フレームの連結部２の順でブリッジの中に収め、ブリッジ８を本体フレーム１にネジによって取り付ける。このとき樹脂バネ７が回転軸としっかりと接する位置で固定する。樹脂バネと樹脂パーツで多角柱の回転軸の面を押えることにより安定した角度の位置で固定できる。尚、樹脂一体化でも同様である。
【発明の効果】
【００１０】
本発明は、通常フレームのブリッジの内部に樹脂バネと樹脂パーツを入れ跳ね上げ機能を持たせることにより通常フレームの外観を保ち、また機能面でも回転軸を多角柱にすることにより一定の位置で跳ね上げ位置を固定することができる。
【実施例１】
【００１１】
図１の前掛フレーム３と本体フレーム１を図２のブリッジ８の内部に、回転軸４を樹脂バネ７と樹脂パーツ９で挟んで入れ、本体フレーム１の連結部２にブリッジ８をネジで止める。
【実施例２】
【００１２】
回転軸を５のようにすると、図の１２、１３のように跳ね上げ位置を変えることができる。また回転軸を６にすると、跳ね上げ位置を自由に変化させることができる。尚、樹脂一体化の場合、樹脂パーツ９を入れなくてもよい。
【図面の簡単な説明】
【００１３】
【図１】本発明における主要フレーム
【図２】本発明における主要連結部
【図３】本発明におけるフレームの横方向から見た跳ね上げ角度
【符号の説明】
【００１４】
１  本体フレーム
２  連結部分
３  前掛フレーム
４  回転軸（六角柱）
５  回転軸（四角柱）
６  回転軸（丸柱）
７  樹脂バネ
８  ブリッジ
９  樹脂パーツ
１０連結部
１１連結部の展開図
１２傾斜角
１３傾斜角
【図１】
2010181659.tif 000003
【図２】
2010181659.tif 000004
【図３】
2010181659.tif 000005
(57)【要約】      （修正有）【課題】左右フレームをブリッジで連結してなる眼鏡において、華やかさやゴージャスを演出する眼鏡を提供する。【解決手段】眼鏡１０は、左フレーム１、右フレーム２を連結するブリッジ３を棒部材とし、このブリッジ３に支持されて摩擦回転あるいは４分の１回転するように筒部材４を設け、この筒部材４に受け台５を設け、この受け台５に宝石６が固着され、宝石６が筒部材４の回転により前向きと上向きとにできるようになっている。【選択図】図２
2010181848.tif 000002
【特許請求の範囲】
【請求項１】
左右フレームを連結するブリッジを棒部材とし、このブリッジに支持されて摩擦回転あるいは４分の１回転するように筒部材を設け、この筒部材に宝石を設け、この宝石が前記筒部材の回転により前向きと上向きとにできるようにしたことを特徴とする眼鏡
【発明の詳細な説明】
【技術分野】
【０００１】  本発明は、宝石を設けた眼鏡に関する。
【背景技術】
【０００２】  従来の眼鏡は左右フレームをブリッジで連結してなる構成であった。
【先行技術文献】
【特許文献】
【０００３】
【特許文献１】特になし
【非特許文献】
【０００４】
【非特許文献１】特になし
【発明の概要】
【発明が解決しようとする課題】
【００】  上述した従来技術は、華やかさやゴージャスさに欠けるという欠点があった。【００】  本発明は以上のような従来技術の欠点に鑑み、華やかさやゴージャスを演出する眼鏡を提供することを目的としている。
【課題を解決するための手段】
【００】  上記目的を達成するために、本発明は、左右フレームを連結するブリッジを棒部材とし、このブリッジに支持されて摩擦回転あるいは４分の１回転するように筒部材を設け、この筒部材に宝石を設け、この宝石が前記筒部材の回転により前向きと上向きとにできるようにしたことを特徴とする眼鏡である。
【発明の効果】  本発明にあっては、好みやその場の雰囲気に応じて宝石を上向にしたり前向きにしたりすることができるという効果を奏する。
【図面の簡単な説明】
【００】
【図１】本発明の実施例を示す宝石を前向きにした状態の正面図。
【図２】本発明の実施例を示す宝石を上向きにした状態の背面図。
【発明を実施するための形態】
【００】  眼鏡１０は、左フレーム１、右フレーム２を連結するブリッジ３を棒部材とし、このブリッジ３に支持されて摩擦回転あるいは４分の１回転するように筒部材４を設け、この筒部材４に受け台５を設け、この受け台５に宝石６が固着され、宝石６が筒部材４の回転により前向きと上向きとにできるようになっている。
宝石は、本物の宝石、ガラスなどのイミテーションでもよい。
【産業上の利用可能性】
【００】本発明は眼鏡を扱う産業で利用される。
【符号の説明】
【００】１：左フレーム、
２：右フレーム、
３：ブリッジ、
４：筒部材、
５：受け台、
６：宝石、
１０：眼鏡。
【図１】
2010181848.tif 000003
【図２】
2010181848.tif 000004
(57)【要約】【課題】ビラなどの紙媒体の二次利用を目的とすることに加え、受取人にＱＲコードの発見のしやすさ、受取人をＨＰへ誘導することを容易にさせること、そして広告の認知から購買までの距離を縮めること、以上が開発の目的である。【解決手段】紙媒体の裏面（表面）にペーパークラフトとＱＲコードを印刷すること。【選択図】図１
2010181846.tif 000002
【特許請求の範囲】
【請求項１】
紙媒体にペーパークラフトの図面を印刷し、かつ、そのペーパークラフト図面にＱＲコードやＷＥＢサイトのアドレス、ホームページアドレスが印刷され、それぞれからホームページやＷＥＢサイトにアクセスすることができる。印刷されたＱＲコードは、携帯電話を使い読み取ることでＷＥＢサイトやホームページなどにアクセスすることが出来る。
【請求項２】
「紙」は、選挙活動に用いるビラや名刺などの配布物や印刷物、企業や個人が宣伝活動や販促活動、教育活動などのために製作した印刷物であり、その紙にペーパークラフトの図面とＱＲコードを印刷するものとする。
【発明の詳細な説明】
【技術分野】
【０００１】  本発明は（本ビジネスモデルは）、選挙活動、広告宣伝活動、販促活動、教育活動などに紙媒体を用いて活動する場合に関する。
【背景技術】
【０００２】  従来、配布することを目的とした紙媒体のビラなどは、それの配布後、受取人は印刷掲載された内容を見ることが少なく、また、二次利用されることもなく廃棄することが多い。
【発明の開示】
【発明が解決しようとする課題】
【０００３】  従来、ビラなどの紙媒体は視覚的効果しか得られず、受取人のアクション効果として購買活動までに至ることが少なかった。加え、紙媒体と一緒に現物品などを一緒に配布することは、多大なコストを要することになる。【０００４】  従来のビラなどに印刷されたＱＲコードは、受取人は実際にＱＲコードをアクセスせずに廃棄することが多かった。それはＱＲコードがわかりにくい場所にあることやビラそのものに関心を持たないことなどが原因に挙げられる。【０００５】  本発明が目的とするところは、紙媒体の裏面（表面）にペーパークラフトとＱＲコードを印刷することで、１つに受取人によるペーパークラフト製作という心理的にエンターテイメント性を与えること、２つにその完成物による視覚的効果を与えること、３つに従来に比べＱＲコードの発見やアクセスを容易にさせること、４つに認知から購買までの距離を縮めること、５つに従来のビラなどの印刷物より広告効果を向上させることである。
【課題を解決するための手段】
【０００６】  上記の目的を達成する本発明のアド・ペーパークラフトは、紙やビラなどの紙媒体にペーパークラフトの図面を、ＱＲコードとともに印刷する。ペーパークラフトは、ターゲットとする受取人の対象によって製作の複雑さを決める。一例として、子供を持つ母親をターゲットとするのであるのならば、子供と母親が一緒になり製作することが予想されるので、ペーパークラフトの図面は容易なものにする。【０００７】  ＱＲコードの情報は、受取人にアクセスしてほしいＷＥＢサイトやホームページなどである。一例として、選挙活動で配布するビラにペーパークラフトとＱＲコードを印刷し、ＱＲコードの情報には、立候補者に意見を届けるためのメッセージ投稿可能なＷＥＢサイトなどである。
【発明の効果】
【０００８】  本発明は、紙媒体の広告物にペーパークラフト図面とＱＲコードを印刷することで、メッセージ性、インパクト性、広告効果の持続性、アクション効果（購買など）、それぞれにおいて対象となるターゲットに高い効果を期待できる。また、本発明を、商業用に使われることを目的とする以外に、選挙活動などの分野、教育活動の分野などにおいて使用することで、上記に挙げたそれぞれの広告効果は高まるものとして期待できる。
【発明を実施するための最良の形態】
【０００９】  以下、本発明の実施の形態を、選挙で使われることを想定した実例として、図面に基づき詳細に説明する。【００１０】  図１〜図３について、図１は紙媒体に印刷したクラフトペーパー展開図を表し、図２は図１のクラフトペーパー展開図を切り取り製作した完成物の例と携帯電話を表し、図３はＷＥＢサイトを介したそれぞれの情報の流れを表している。【００１１】  紙媒体１の表面は選挙立候補者の選挙活動広告が印刷され、裏面にクラフトペーパー展開図が印刷されている。クラフトペーパー展開図にＱＲコード（４）が印刷されている。【００１２】  図２では、クラフトペーパー展開図を切り取り、組み立て完成させたものが（５）であり、ＱＲコード（４）が印刷されている。ＱＲコードに組み込まれた情報をビラ受取人であるユーザーが携帯（６）で読み取れるようにする。【００１３】  図３では、ユーザーはＱＲコードの情報であるＷＥＢサイト（番号：９  立候補者である１２が製作者）にアクセスした結果、ユーザーがそのＷＥＢサイト（９）に書き込んだ情報が立候補者である（１２）に送信されることになる。また、立候補者（１２）は、そのＷＥＢサイト（９）を利用してユーザーそれぞれにコメントなどの情報を送ることができる。
【産業上の利用可能性】
【００１４】  本発明は、選挙活動の配布ビラに、企業の販促広告や教育活動などにおける分野において利用することができる。
【図面の簡単な説明】
【００１５】
【図１】  図１は、紙媒体に描かれたクラフトペーパー展開図である。
【図２】  図２は、図１の展開図を組み立てた完成物である。
【図３】  図３は、ＱＲコードの情報であるＷＥＢサイトを介したそれぞれの情報の流れである。
【符号の説明】
【００１６】１        紙媒体表面
２        紙媒体裏面
３        クラフトペーパー展開図
４        ＱＲコード
５        クラフトペーパー完成物
６        ビラ受取人（ユーザー）
７        １２が書き込んだ情報を９が自動送信
８        ６が９にアクセス
９        １２が製作したＷＥＢサイト
１０      ６が９で書き込んだ情報の流れ
１１      １２が９に書き込む情報の流れ
１２      選挙立候補者
【図１】
2010181846.tif 000003
【図２】
2010181846.tif 000004
【図３】
2010181846.tif 000005
(57)【要約】【課題】  本発明は、普段冷蔵庫の中の品が一目瞭然でわかりやすい冷蔵庫ポケットを提供する。【解決手段】  冷蔵庫ポケット本体（１）に仕切り（２）を設け、ポケット収納部（３）を設け、ポケット収納部（３）にメモカード（４）を設け、冷蔵庫ポケット本体（１）の裏面にマグネット（５）を設け、マジックペン（６）にマグネット（５）を設け、冷蔵庫ポケット本体（１）のポケットも何段も継ぎ足せ、冷蔵庫ポケット本体（１）は横型で、冷蔵庫ポケット本体（７）は縦型にもできることを特徴とする冷蔵庫ポケットである。【選択図】図１
2010181132.tif 000002
【特許請求の範囲】
【請求項１】
（イ）冷蔵庫ポケット本体（１）に仕切り（２）を設け、ポケット収納部（３）を設ける。
（ロ）ポケット収納部（３）にメモカード（４）を設ける。
（ハ）冷蔵庫ポケット本体（１）の裏面にマグネット（５）を設ける。
（ニ）マジックペン（６）にマグネット（５）を設ける。
（ホ）冷蔵庫ポケット本体（１）のポケットも何段も継ぎ足せる。
（ヘ）冷蔵庫ポケット本体（１）は横型で、冷蔵庫ポケット本体（７）は縦型にもできる。
以上のように構成された冷蔵庫ポケット。
【発明の詳細な説明】
【技術分野】
【０００１】  本発明は、冷蔵庫の中身がメモカードによって一目瞭然にわかるように工夫した冷蔵庫ポケットがあった。
【背景技術】
【０００２】  従来は、冷蔵庫ポケット本体は、ポケットにメモカードを設け、カードに収納の品を書くことができるマジックペンがあった。
マジックペンには固定するマグネットが使用されている。
【発明の開示】
【発明が解決しようとする課題】
【０００３】  そのため、次のような問題点があった。
いままでの背景には、冷蔵庫の中の食品が片隅に置かれたまま賞味期限も過ぎたものも気付かず活かせないまま捨てることになってしまうことが多い。
本発明は以上の問題点を解決しようとするものである。
【課題を解決するための手段】
【０００４】（イ）冷蔵庫ポケット本体（１）に仕切り（２）を設け、ポケット収納部（３）を設ける。
（ロ）ポケット収納部（３）にメモカード（４）を設ける。
（ハ）冷蔵庫ポケット本体（１）の裏面にマグネット（５）を設ける。
（ニ）マジックペン（６）にマグネット（５）を設ける。
（ホ）冷蔵庫ポケット本体（１）のポケットも何段も継ぎ足せる。
（ヘ）冷蔵庫ポケット本体（１）は横型で、冷蔵庫ポケット本体（７）は縦型にもできる。
以上のように構成された冷蔵庫ポケットである。
【発明の効果】
【０００５】  冷蔵庫ポケット本体をマグネット式で冷蔵庫に固定することができる。
メモカードに冷蔵庫の中身の食品を記入してポケットに差し込み、冷蔵庫を開けなくても中身が一目瞭然にわかりやすく便利である。
食品の入替えには、メモカードボードに書き直して差し替え消して、また書くことができ、何回でも使用できる優れものである。
【発明を実施するための最良の形態】
【０００６】  以下、本発明の実施の形態を説明する。
（イ）冷蔵庫ポケット本体（１）に仕切り（２）を設け、ポケット収納部（３）を設ける。
（ロ）ポケット収納部（３）にメモカード（４）を設ける。
（ハ）冷蔵庫ポケット本体（１）の裏面にマグネット（５）を設ける。
（ニ）マジックペン（６）にマグネット（５）を設ける。
（ホ）冷蔵庫ポケット本体（１）のポケットも何段も継ぎ足せる。
（ヘ）冷蔵庫ポケット本体（１）は横型で、冷蔵庫ポケット本体（７）は縦型にもできる。
本発明は、以上のように構成された冷蔵庫ポケットである。
本発明の使い方を説明する。
冷蔵庫ポケット本体（１）は、マグネット（５）を冷蔵庫に貼り付けて使用するものである。
ポケットにはプラスチックの固定具で、それぞれ仕切り（２）を設ける。
ポケット収納部（３）を設け、メモカード（４）が差し替えできる様になっている。
メモカード（４）には、収納品をマジックペン（６）で書いても、また消せることのできるマジックペン（６）である。
マジックペン（６）にもマグネット（５）で冷蔵庫に固定できる。
冷蔵庫ポケット本体（１）は、横型と縦型にした冷蔵庫ポケット本体（７）がある。
冷蔵庫を開けなくても中身が一目瞭然にわかりやすくロスを減らす便利ものである。
冷蔵庫にマグネット式の付いた冷蔵庫ポケット本体（１）を固定するものである。
ポケットは、いくつかに分別されポケットの中に入れるメモカードを設け、カードはボード用のマジックペンで消すこともできる。
カードには冷蔵庫の中身の品物賞味期限などを記入できるものである。
中身の品物の出し入れの際には書き替えて差し替えることで冷蔵庫の中身が一目瞭然にわかりやすいことを特徴とする冷蔵庫ポケットである。
【図面の簡単な説明】
【０００７】
【図１】  本発明の冷蔵庫ポケットが一対となった説明図である。
【図２】  本発明の冷蔵庫ポケットの裏面にマグネットを付けた説明図である。
【図３】  本発明の冷蔵庫ポケットからメモカードをはずした状態の説明図である。
【図４】  本発明の冷蔵庫ポケットを縦型にした状態の説明図である。
【図５】  本発明のマジックペンの説明図である。
【符号の説明】
【０００８】１  横型の冷蔵庫ポケット本体
２  しきり
３  ポケット収納部
４  メモカード
５  マグネット
６  マジックペン
７  縦型にした冷蔵庫ポケット本体
【図１】
2010181132.tif 000003
【図２】
2010181132.tif 000004
【図３】
2010181132.tif 000005
【図４】
2010181132.tif 000006
【図５】
2010181132.tif 000007
(57)【要約】【課題】従来の三つ折補助具は操作に関して使用者からみて若干の特有な操作が必要であった。【解決手段】本発明は、補助具の構成部品を少なく簡易な構成とし、使用者に分かりやすく、さらに持ち運びに適する形状とし、軽量である。軽量で簡易に三つ折が効率よく作成できる【選択図】図１
2010070384.tif 000002
【特許請求の範囲】
【請求項１】
大小二枚の長方形の板を使い、紙を三つ折にするための補助具
【発明の詳細な説明】
【技術分野】
【０００１】本発明は書面を三つ折にする補助具に関する
【背景技術】
【０００２】従来の三つ折補助具は操作に関して使用者からみて若干の特有な操作が必要であった。
この操作は補助具に関しては必要のものであるが、今回は操作を簡易向上させている。
【特許文献１】特許出願平１１−３２６９４１
【非特許文献１】登録実用新案第３１４４６５４号
【非特許文献１】登録実用新案第３１３１５３１号
【非特許文献２】登録実用新案第３１０８０３０号
【発明の開示】
【発明が解決しようとする課題】
【０００３】上記にあげた三つ折補助具は操作に関して使用者からみて若干の特有な操作が必要であった。【０００４】本発明は簡易性と持ち運びのよさを向上させたものである。
【課題を解決するための手段】
【０００５】本発明は、補助具の構成部品を少なく簡易な構成とし、使用者に分かりやすく、さらに持ち運びに適する形状とし、軽量である。
【発明の効果】
【０００６】本発明は持ち運びができ、軽量で簡易に三つ折が効率よく作成できる
【発明を実施するための最良の形態】
【０００７】以下、本発明の実施の形態を図１、図２に基づいて説明する。【０００８】図面１の大きい長方形の板の上に用紙を置き、又ははさみ、図２のような状態にし、左右の用紙の端を折りたたむことにより簡易に三つ折ができる。
【図面の簡単な説明】
【図１】動作前
【図２】動作後
【図１】
2010070384.tif 000003
【図２】
2010070384.tif 000004
(57)【要約】【課題】  ハーネスをパッド成形と同時に一体発泡させ得るようにすることにより、ハーネス取り回しに要するコストおよび作業工数を低減させる（換言すれば、取り回しの簡略化の図る）。【解決手段】  発泡体からなるパッド３と、該パッド３を支持するパン型構造のフレームとを有する車両用シートのシートクッションにおいて、前記パッド３に、電装品Ｔ等とスイッチＳＷ等との間に介設されるハーネス７を一体発泡させて固定して、ハーネス７を固定するためのバンドやクリップを廃止することができるようにしている。【選択図】        図３
2010070120.tif 000002
【特許請求の範囲】
【請求項１】
発泡体からなるパッドと、該パッドを支持するパン型構造のフレームとを有する車両用シートのシートクッションであって、前記パッドには、電装品等とスイッチ等との間に介設されるハーネスを一体発泡させて固定したことを特徴とする車両用シートのシートクッション。
【請求項２】
前記ハーネスの端部を、前記パッドと一体発泡させることなくコネクタ結線が容易なようにレイアウトしたことを特徴とする車両用シートのシートクッション。
【発明の詳細な説明】
【技術分野】
【０００１】
本願発明は、車両用シートのシートクッションに関し、さらに詳しくは車両用シートのシートクッションにおける電装品とスイッチ等との間に介設されるハーネスの固定構造に関するものである。
【背景技術】
【０００２】
車両用シートのシートクッションとしては、発泡体からなるパッドと、該パッドを支持するパン型構造のフレームとを有する構成のものが知られている（例えば、特許文献１参照）。
【０００３】
【特許文献１】特開２００５−２３７５１９号公報
【発明の開示】
【発明が解決しようとする課題】
【０００４】
上記構成のシートクッションにおいて、電装品等とスイッチ等との間に介設されるハーネスを取り回す方法としては、インシュロック等のバンドやクリップによってハーネスをパッドに固定する方法が採用されていた。
【０００５】
しかしながら、上記方法の場合、ハーネス固定のための樹脂クリップが必要となるとともに、フレームのエッジとハーネスとの干渉を回避するためにハーネス保護材が必要となり、コストアップの原因となるという不具合が生ずる。また、ハーネスの取り回し経路が遠回りとなってしまうという不具合が生ずる。
【０００６】
本願発明は、上記の点に鑑みてなされたもので、ハーネスをパッド成形と同時に一体発泡させ得るようにすることにより、ハーネス取り回しに要するコストおよび作業工数を低減させる（換言すれば、取り回しの簡略化の図る）ことを目的としている。
【課題を解決するための手段】
【０００７】
本願発明では、上記課題を解決するための第１の手段として、発泡体からなるパッドと、該パッドを支持するパン型構造のフレームとを有する車両用シートのシートクッションにおいて、前記パッドに、電装品等とスイッチ等との間に介設されるハーネスを一体発泡させて固定している。
【０００８】
上記のように構成したことにより、ハーネスを固定するためのバンドやクリップを廃止することができることとなり、ハーネスのコスト低減およびハーネスの取り回しの簡略化を図ることができる。
【０００９】
本願発明では、さらに、上記課題を解決するための第２の手段として、上記第１の手段を備えた車両用シートのシートクッションにおいて、前記ハーネスの端部を、前記パッドと一体発泡させることなくコネクタ結線が容易なようにレイアウトすることもでき、そのように構成した場合、電装品等とコネクタとを結線するのみでハーネスの取り回しが可能となる。
【発明の効果】
【００１０】
本願発明の第１の手段によれば、発泡体からなるパッドと、該パッドを支持するパン型構造のフレームとを有する車両用シートのシートクッションにおいて、前記パッドに、電装品等とスイッチ等との間に介設されるハーネスを一体発泡させて固定したので、ハーネスを固定するためのバンドやクリップを廃止することができることとなり、ハーネスのコスト低減およびハーネスの取り回しの簡略化を図ることができるという効果がある。
【００１１】
本願発明の第２の手段におけるように、上記第１の手段を備えた車両用シートのシートクッションにおいて、前記ハーネスの端部を、前記パッドと一体発泡させることなくコネクタ結線が容易なようにレイアウトすることもでき、そのように構成した場合、電装品等とコネクタとを結線するのみでハーネスの取り回しが可能となる。
【発明を実施するための最良の形態】
【００１２】
以下、添付の図面を参照して、本願発明を幾つかの好適な実施の形態について説明する。
【００１３】
図１には、本願発明の実施の形態にかかる車両用シートが示されている。
【００１４】
この車両用シートは、乗員が着座するシートクッション１と乗員の背もたれとなるシートバック２とからなっている。
【００１５】
前記シートクッション１は、図２に示すように、発泡体からなるパッド３と、該パッド３を支持するパン型構造のフレーム４とを有して構成されている。図２においては、上下が逆に図示されている。
【００１６】
そして、前記フレーム４を上方に向け、該フレーム４内に前記パッド３を収納することによりシートクッション１は製造されるが、前記フレーム４の周縁には、所定間隔で切り起こし片５，５・・が設けられており、前記フレーム４の外周縁の全周から垂れ下がっている表皮材６の周縁部６ａを上方（矢印で示す方向）へ引き上げて、これを前記切り起こし片５，５・・に掛止させ、その状態のもとに、前記切り起こし片５，５・・をたたき込むことで、前記表皮材６の周縁部６ａが前記フレーム４に固定されることとなっている。
【００１７】
ところで、本実施の形態においては、前記パッド３には、図３に示すように、電装品Ｔ等とスイッチＳＷ等との間に介設されるハーネス７が一体発泡されて固定されている。前記ハーネス７の端部は、前記パッド３と一体発泡させることなくコネクタ結線が容易なようにレイアウトされている。図３において、符号８はハーネス７の端部に設けられた結線用のコネクタ、Ｍはモータ、Ｓは乗員の着座を検知するセンサーである。図３においても、上下が逆に図示されている。
【００１８】
上記のように構成したことにより、ハーネス７を固定するためのバンドやクリップを廃止することができることとなり、ハーネス７のコスト低減およびハーネス７の取り回しの簡略化を図ることができる。しかも、電装品Ｔ等とコネクタ８とを結線するのみでハーネス７の取り回しが可能となる。
【００１９】
本願発明は、上記実施の形態に限定されるものではなく、発明の要旨を逸脱しない範囲において適宜設計変更可能なことは勿論である。
【図面の簡単な説明】
【００２０】
【図１】本願発明の実施の形態にかかる車両用シートを示す斜視図である。
【図２】本願発明の実施の形態にかかる車両用シートのシートクッションを示す上下を逆にした斜視図である。
【図３】本願発明の実施の形態にかかる車両用シートのシートクッションを構成するパッドの上下を逆にした斜視図である。
【符号の説明】
【００２１】
１はシートクッション
３はパッド
４はフレーム
７はハーネス
８はコネクタ
Ｔは電装品
ＳＷはスイッチ
【図１】
2010070120.tif 000003
【図２】
2010070120.tif 000004
【図３】
2010070120.tif 000005
(57)【要約】【課題】発泡スチロールの廃材をコンクリートの骨材として有効に利用し、しかも一体構造で軽量かつ断熱性と通気性のあるコンクリート製品を得る。【解決手段】廃材発泡スチロールを、粉砕して、セメントと混合し自然乾燥成形する一体パネルであるため、エコ製品である。【選択図】図３
2010070443.tif 000002
【特許請求の範囲】
【請求項１】
形成用形に注入若しくは圧入して成形するコンクリート製品であって、予め粉砕した発泡スチロールとセメントを混合しその粒子を成型用型に注入しベニアでふたをした一体断熱パネルを造る方法
【発明の詳細な説明】
【技術分野】
【０００１】従来コンクリートの骨材、発泡スチロールの粉砕を混和材とした左官材料として使用されているものはよく知られている。
【発明の開示】
【発明が解決しようとする課題】
【０００２】本発明はコンクリート製品において、この一体パネル建築用材として軽量で断熱性・通気性・削成加工の容易なコンクリート製品を得ようとする物である
【課題を解決するための手段】
【０００３】予め粉砕した発泡スチロールの粒子をセメントと混和しておき、形成型に注入あるいは圧入して、一体断熱パネルを形成するようにしたものである。【０００４】以下本発明を図面に基づいて詳細に説明するが、図は本発明を利用して製造した代表例として示したものであって、本発明はコンクリートで成型製造する他のすべてのものに適用できるが特に通気性や断熱軽量を必要とする建築用材として多用途に利用することができる。【０００５】本発明に利用するコンクリートには、従来知られた骨材を適当にセメントに混在させたものを用い、水を加える前に発泡スチロールの粒子を加えてよく混和する。一方発泡スチロールは従来廃材としている成型物を粉砕機等で破砕し、その粒子は米粒大から米粒の二分の一程度の粒状とする。そしてセメントとの混合比は利用目的に応じて変更するが、セメントとの比重比で約１０パーセントの発泡スチロール粒子を混和したしたものである。このように構成したコンクリートを成型用型に注入するかあるいは圧入してコンクリート製品を製造する。【０００６】図１はこのようにして成形したパネルの平面図、図２は図１の断面図、図３は図１及び図２の丸印２部分の拡大図を示したものである。
【発明の効果】
【０００７】この製品は一体パネルのため施工しやすく多質形成であり断熱、通気性の効果もあり又廃材の発泡スチロールを利用し接着はセメントだけであるためコストが非常に低下できる。
【発明を実施するための最良の形態】
【０００８】廃材発泡スチロールの粉砕については１００パーセント以上のコンクリート骨材ができる。又接着がセメントだけであるため切断が容易である。
【産業上の利用可能性】
【０００９】すべての建築物に施工可能な製品
【図面の簡単な説明】
【００１０】
【図１】本発明を適用して製造したパネルの平面図
【図２】図１の断面図
【図３】図１及び図２の丸印部分の拡大図
【符号の説明】
１  丸印
２  発泡スチロール
３  セメント
【図１】
2010070443.tif 000003
【図２】
2010070443.tif 000004
【図３】
2010070443.tif 000005